(57)【特許請求の範囲】
【請求項１】
原稿を読み取る画像読取手段と、読み取られた原稿の画像データを記憶する記憶手段と、前記記憶手段に記憶された画像データに基づいて原稿画像を生成する原稿画像生成手段と、前記原稿画像を表示する表示手段と、前記原稿画像の出力画像のサイズを指定するサイズ指定手段と、指定されたサイズに変倍した出力画像を生成する変倍手段と、を備えて、前記原稿画像を拡大または縮小して画像出力を行うことができる画像形成装置において、
前記表示手段に表示された原稿画像に対して、出力画像のサイズを指定する時の基準となる線分を指定する基準位置指定手段を備え、
前記基準位置指定手段により、前記原稿画像に基づいて輪郭の直線部分に沿って前記表示手段に表示される複数の線分から前記基準となる線分を指定し、前記基準となる線分に対して画像出力のサイズを指定して、画像出力を行うことを特徴とする画像形成装置。
【請求項２】
前記サイズ指定手段により指定される出力画像のサイズは、前記表示手段に表示された原稿画像の指定された一辺に対応する前記出力画像の一辺の長さにより決定されることを特徴とする請求項１に記載の画像形成装置。
【請求項３】
前記変倍手段は、前記サイズ指定手段により指定された出力画像のサイズと、前記原稿画像の指定された一辺の長さとに基づいて変倍率を決定することを特徴とする請求項１または２に記載の画像形成装置。
【請求項４】
前記変倍手段は、前記サイズ指定手段により指定された出力画像のサイズと、前記原稿画像の特定の領域の一辺の長さとに基づいて変倍率を決定することを特徴とする請求項１または２に記載の画像形成装置。
【請求項５】
前記サイズ指定手段により指定される出力画像のサイズは、前記表示手段に表示された原稿画像において指定された縦横方向の部分の長さを指定することで決定されることを特徴とする請求項１に記載の画像形成装置。
【発明の詳細な説明】
【技術分野】
【０００１】
本発明は、画像形成装置に係り、特に、原稿画像を拡大または縮小して画像出力を行うことができる画像形成装置に関する。
【背景技術】
【０００２】
従来、複写機等の画像形成装置は、通常、画像読取り装置によって読み取った原稿の画像データや別途端末機から入力された画像データに基づき出力画像を生成して出力したり、前記画像データに基づく原稿画像を変倍した出力画像を生成して出力するようにされている。
【０００３】
このような画像形成装置においては、原稿画像を変倍して所定の大きさ、例えば、横幅１０（ｃｍ）の出力画像を得たい場合には、コピー変倍率を変化させコピーを行った後に利用者が出力画像の大きさを計測して、所望のサイズの出力画像であるか否かの確認を行い、出力画像が所望のサイズでない場合には、コピー変倍率を変化させ再度、コピーを行うことで所望サイズの出力画像を得るようにしていた。
【０００４】
しかしながら、このような方式では、コピー変倍率の設定が難しく、所望のサイズの出力画像を得るまでに長時間を要したり、記録紙やトナーを無駄に使用すると言う問題が生じていた。
【０００５】
なお、所定のサイズに変倍して印刷する技術として、例えば、印刷制御装置において、ロール紙のロール幅を設定することで、ロール紙に印刷する変倍率を自動設定する技術が開示されている（特許文献１を参照）。
【０００６】
また、テープ印刷装置において、テープ印刷のテープ長さを指定すると印刷する文字の長さがテープの長さを超える場合には、印刷する文字の大きさや文字間隔を変化させる技術が開示されている（特許文献２を参照）。
【先行技術文献】
【特許文献】
【０００７】
【特許文献１】特開２００５−２５１０４７号公報
【特許文献２】特開２０１０−５８３０９号公報
【発明の概要】
【発明が解決しようとする課題】
【０００８】
しかしながら、上述した従来技術では、ロール紙のロール幅に応じて印刷したり、テープの長さに応じて印刷のサイズや間隔を設定したりして印刷することができるが、原稿の画像や写真などを原寸大で印刷したり、縮尺を指定して所望のサイズで印刷することできないという問題があった。
【０００９】
本発明は、上記従来の課題に鑑みてなされたものであり、原稿のサイズに拘わらず、容易に所望する画像のサイズを変倍して出力することができる画像形成装置を提供することを目的とする。
【課題を解決するための手段】
【００１０】
本発明は、原稿を読み取る画像読取手段（例えば、スキャナ部）と、読み取られた原稿の画像データを記憶する記憶手段と、前記記憶手段に記憶された画像データに基づいて原稿画像を生成する原稿画像生成手段と、前記原稿画像を表示する表示手段（例えば、タッチパネルディスプレイ）と、前記原稿画像の出力画像のサイズを指定するサイズ指定手段と、指定されたサイズ（大きさ、長さ）に変倍した出力画像を生成する変倍手段と、を備えて、前記原稿画像を拡大または縮小して画像出力を行うことができる画像形成装置において、前記表示手段に表示された原稿画像に対して、出力画像のサイズを指定する時の基準となる線分を指定する基準位置指定手段を備え、前記基準位置指定手段により、前記原稿画像に基づいて前記表示手段に表示される複数の線分から前記基準となる線分を指定することを特徴とするものである。
【００１１】
また、本発明は、前記サイズ指定手段により指定される出力画像のサイズを、前記表示手段に表示された原稿画像の指定された一辺に対応する前記出力画像の一辺の長さにより決定することが好ましい。
【００１２】
また、本発明は、前記変倍手段を、前記サイズ指定手段により指定された出力画像のサイズと、前記原稿画像の指定された一辺の長さとに基づいて変倍率を決定することが好ましい。
【００１３】
また、本発明は、前記変倍手段を、前記サイズ指定手段により指定された出力画像のサイズと、前記原稿画像の特定の領域の一辺の長さとに基づいて変倍率を決定することが好ましい。
【００１４】
また、本発明は、前記サイズ指定手段により指定される出力画像のサイズを、前記表示手段に表示された原稿画像において、例えば、前記原稿画像の直角座標における縦横方向の部分において、指定された縦横方向の部分の長さを指定することで決定することが好ましい。
【００１５】
また、本発明は、前記サイズ指定手段により指定される出力画像のサイズを、前記表示手段に表示された原稿画像において、例えば、前記原稿画像の直角座標における縦横方向ではない斜め方向の部分において、指定された球体の直径または半径の部分の長さを指定することで決定することが好ましい。
【発明の効果】
【００１６】
本発明の画像形成装置によれば、原稿を読み取る画像読取手段と、読み取られた原稿の画像データを記憶する記憶手段と、前記記憶手段に記憶された画像データに基づいて原稿画像を生成する原稿画像生成手段と、前記原稿画像を表示する表示手段と、前記原稿画像の出力画像のサイズを指定するサイズ指定手段と、指定されたサイズ（大きさ、長さ）に変倍した出力画像を生成する変倍手段と、を備えて、前記原稿画像を拡大または縮小して画像出力を行うことができる画像形成装置において、前記表示手段に表示された原稿画像に対して、出力画像のサイズを指定する時の基準となる線分を指定する基準位置指定手段を備え、前記基準位置指定手段により、前記原稿画像に基づいて前記表示手段に表示される複数の線分から前記基準となる線分を指定することで、原稿のサイズに拘わらず、原稿画像に対して所望する出力画像のサイズを指定することができるので、容易に原稿画像を変倍して所望する出力画像を得ることができる。
【図面の簡単な説明】
【００１７】
【図１】本発明の第１実施形態に係る画像形成装置の全体の構成を示す説明図である。
【図２】前記画像形成装置の電気的構成を示すブロック図である。
【図３】前記画像形成装置を構成するスキャナ部の概略構成を示す説明図である。
【図４】前記スキャナ部の電気的構成を示すブロック図である。
【図５】前記画像形成装置のタッチパネルディスプレイの構成と原稿画像の表示状態を示す説明図である。
【図６】前記タッチパネルディスプレイに表示される原稿画像の出力画像のサイズの基準部分を指定する一例を示す説明図である。
【図７】前記画像形成装置において原稿画像からユーザの所望するサイズの出力画像を得る処理を説明するブロック図である。
【図８】前記画像形成装置において原稿をスキャナ部により読み取り変倍して印刷する処理工程を示すフローチャートである。
【図９】前記画像形成装置において画像作成システムにより作成された原稿画像を変倍して印刷する処理工程を示すフローチャートである。
【図１０】本発明の第２実施形態に係る画像形成装置のタッチパネルディスプレイに表示される原稿画像の出力画像のサイズの基準部分を指定する一例を示す説明図である。
【図１１】（ａ）本発明の第３実施形態に係る画像形成装置のタッチパネルディスプレイに表示される原稿画像の出力画像のサイズの基準部分を指定する一例を示す説明図、（ｂ）前記画像原稿の角部の形状を示す詳細図である。
【図１２】本発明に係る画像形成装置のタッチパネルディスプレイに表示される原稿画像の出力画像のサイズの基準部分を指定する変形例１を示す説明図である。
【図１３】前記画像形成装置のタッチパネルディスプレイに表示される原稿画像の出力画像のサイズの基準部分を指定する変形例２を示す説明図である。
【発明を実施するための形態】
【００１８】
（第１実施形態）
以下、本発明の第１実施形態について図面を参照して説明する。
図１は発明を実施する形態の一例であって、本発明の第１実施形態に係る画像形成装置の全体の構成を示す説明図、図２は前記画像形成装置の電気的構成を示すブロック図である。
【００１９】
本発明の第１実施形態は、図１に示すように、読み取り原稿（以下、単に「原稿」と称する。）の画像を読取るスキャナ部（画像読取手段）１０２Ａと、原稿を自動搬送する自動原稿処理装置１０２Ｂを備えた原稿読取装置１０２が搭載され、スキャナ部１０２Ａに読み取られた原稿に基づく原稿画像を拡大または縮小して画像出力を行うことができる画像形成装置１００おいて、本発明に係る画像形成装置の特徴的な構成を備えたものである。
【００２０】
この画像形成装置１００は、電子写真方式により記録用紙に画像を形成する。
そして、画像形成装置１００は、動作モードとして、コピーモード、ファクシミリモード（ＦＡＸモード）、ドキュメントファイリングモード（スキャンした画像を画像形成装置内部の記憶装置に記憶するモード）およびメールモード（スキャンした画像を電子メールに添付する形式で送信するモード）を備える複合機である。
なお、この画像形成装置１００は、さらにネットワークプリンタモードを備えていても構わない。
【００２１】
スキャナ部１０２Ａは、画像形成装置１００本体の上部に設けられている。
自動原稿処理装置１０２Ｂは、スキャナ部１０２Ａ上部に対向して開閉自在に設けられ、スキャナ部１０２Ａ上に載置される原稿を押える原稿押え部としても機能するように構成されている。これにより、一枚ごとの原稿読取処理を行うことが可能となっている。
そして、自動原稿処理装置１０２Ｂをスキャナ部１０２Ａ上部に搭載することで、複数枚の原稿の自動連続読取処理が可能となるとともに原稿の両面が同時に読み取ることができる。
【００２２】
まず、本発明の第１実施形態に係る画像形成装置１００の基本的な構成について説明する。
第１実施形態に係る画像形成装置１００は、図１，図２に示すように、主に、スキャナ部１０２Ａにより読み取った画像データを記憶する記憶部１０３、記憶部１０３に記憶された画像データに基づき形成された画像を出力する画像出力手段１０７、用紙を供給する給紙部１０６、画像データに基づき形成された画像を出力する画像出力手段１０７、排紙処理装置１０８、装置全体の制御を司る制御部１０５、および、操作ユニット１２０を備える。
【００２３】
制御部１０５は、図２に示すように、通常の画像形成装置１００の各部の動作処理制御に加えて、スキャナ部１０２Ａの動作処理を制御するスキャナ制御部（制御手段）１０２Ａ３および自動原稿処理装置１０２Ｂの動作処理を制御する原稿搬送制御部１０２Ｂ３として機能するように構成されている。
【００２４】
排紙処理装置１０８は、複数の記録用紙を各排紙トレイ１１０に仕分けして排出する処理、各記録用紙にパンチングする処理、および各記録用紙にステープルする処理を施す。
例えば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙に対しパンチングユニット（図示省略）によるパンチング処理またはステープルユニット（図示省略）によるステープル処理を施して印刷物を作成する。
【００２５】
操作ユニット１２０は、図１に示すように、主にタッチパネルディスプレイ１３０と表示操作部１４０とで構成される。タッチパネルディスプレイ１３０は、液晶パネル等で構成された表示パネル１３２と、表示パネル１３２に重ねて配置されたユーザの指で押圧された位置を検出するタッチパネル１３４とで構成される。
【００２６】
このように画像形成装置１００は、主たる操作デバイスとしてタッチパネルディスプレイ１３０を備えるとともに、ハードウェアキーおよび表示灯により構成される表示操作部１４０を備える。
【００２７】
なお、画像形成装置１００は、このような構成の表示操作部１４０を備えるものに限定されず、タッチパネルディスプレイ１３０のみを備えるものであってもよい。
【００２８】
次に、第１実施形態の画像形成装置１００の原稿読取装置１０２を構成する画像読取手段であるスキャナ部１０２Ａの構成について図面を参照して説明する。
図３は第１実施形態の画像形成装置を構成するスキャナ部の概略構成を示す説明図、図４は前記スキャナ部の電気的構成を示すブロック図である。
【００２９】
第１実施形態のスキャナ部１０２Ａは、図３，図４に示すように、主に、原稿の画像を読み取る原稿読取部（原稿読取手段）１０２Ａ１と、原稿サイズ検知手段１０２Ａ２と、これらの動作制御を行うスキャナ制御部１０２Ａ３を備えている。
【００３０】
原稿読取部１０２Ａ１は、主に、ランプユニット１０２ａ１、反射手段１０２ａ２、受光手段１０２ａ３と、ランプユニット駆動手段１０２ａ４、を備える。
ランプユニット１０２ａ１は、原稿を照射する発光手段である。反射手段１０２ａ２は、ランプユニット１０２ａ１により照射された原稿からの反射光を反射する。受光手段１０２ａ３は、原稿からの反射光を受光する。ランプユニット駆動手段１０２ａ４は、ランプユニット１０２ａ１を副走査方向に移動する。
【００３１】
原稿サイズ検知手段１０２Ａ２は、原稿載置台に載置された原稿の大きさを検知する。
【００３２】
スキャナ制御部１０２Ａ３は、用紙サイズ選択手段１０２Ａ３１を有する。
【００３３】
次に、第１実施形態の画像形成装置１００の特徴的な構成について図面を参照して説明する。
【００３４】
第１実施形態の画像形成装置１００において、制御部１０５は、図２に示すように、記憶部１０３に記憶された画像データに基づいて原稿画像を生成する原稿画像生成手段１０５１、原稿画像の出力画像のサイズを指定するサイズ指定手段１０５２、指定されたサイズ（大きさ、長さ）に変倍した出力画像を生成する変倍手段１０５３を備えるとともに、さらに、タッチパネルディスプレイ１３０に表示した原稿画像に対して、出力画像のサイズを指定する時の基準となる部分を指定する基準位置指定手段１０５４を備えることを特徴としている。
【００３５】
第１実施形態では、基準位置指定手段１０５４は、タッチパネルディスプレイ１３０に表示された原稿画像の一辺をユーザがタッチすることで、その一辺を出力画像のサイズを指定する時の基準として指定する。
【００３６】
サイズ指定手段１０５２は、タッチパネルディスプレイ１３０に表示された原稿画像の指定された一辺に対応する出力画像の一辺の長さを指定することで出力画像のサイズを決定する。
【００３７】
変倍手段１０５３は、サイズ指定手段１０５２により指定された出力画像のサイズと、原稿画像の指定された一辺の長さとに基づいて変倍率を決定する。
【００３８】
ここで、第１実施形態の画像形成装置１００のタッチパネルディスプレイ１３０の構成について図面を参照して説明する。
図５は第１実施形態の画像形成装置のタッチパネルディスプレイの構成と原稿画像の表示状態を示す説明図、図６は前記タッチパネルディスプレイに表示される原稿画像の出力画像のサイズの基準部分を指定する一例を示す説明図である。
【００３９】
画像形成装置１００の操作ユニット１２０に設けられたタッチパネルディスプレイ１３０は、図５に示すように、画像が表示される表示領域１３０１とタッチ操作を行うアイコンが表示される操作領域１３０２を備えている。
【００４０】
表示領域１３０１には、スキャナ部１０２Ａにより読み取られた原稿の原稿画像や入力された画像データに基づく原稿画像が表示される。ここでは、入力された基板の画像データに基づく表示画像（ここでは、「原稿画像」と称する。）１３０３が表示される。
【００４１】
操作領域１３０２には、出力画像のサイズの基準となる部分（以下、「基準部分」と称する。）を指定する矢印を表示するアイコン１３０２Ａ、基準部分を指定するアイコン１３０２Ｂ、基準部分の長さを指定するアイコン１３０２Ｃが表示される。
【００４２】
基準部分を指定するアイコン１３０２Ｂは、制御部１０５の基準位置指定手段１０５４に対応する。
【００４３】
基準部分の長さを指定するアイコン１３０２Ｃは、制御部１０５のサイズ指定手段１０５２に対応する。
【００４４】
アイコン１３０２Ａをタッチすると、図６に示すように、原稿画像１３０３付近に矢印１３０４が表示される。
【００４５】
原稿画像１３０３の基準部分を指定する操作は、アイコン１３０２Ｂをタッチした後、矢印１３０４をタッチした状態で移動（ドラッグ）して、基準部分（例えば、原稿画像１３０３の横方向の１辺）を指定する。
【００４６】
なお、原稿画像１３０３の基準部分を指定する操作は、上記操作に限定されず、例えば、アイコン１３０２Ｂをタッチした後、タッチパネルディスプレイ１３０上の原稿画像１３０３の指定する部分をタッチすることで、矢印１３０４を表示させて原稿画像１３０３の基準部分を指定するようにしてもよい。
【００４７】
原稿画像１３０３の基準部分の長さを指定は、アイコン１３０２Ｃをタッチした後、数値（例えば「１０」）を入力する。
【００４８】
このようにして、タッチパネルディスプレイ１３０に表示された原稿画像１３０３に対して出力画像のサイズを指定することで、容易に所望するサイズの出力画像を得ることができる。
【００４９】
次に、第１実施形態の画像形成装置１００において、入力された画像データに基づき表示された原稿画像の出力画像をユーザの所望する大きさに変倍して出力する処理を行う構成についてブロック図により説明する。
図７は第１実施形態の画像形成装置において原稿画像からユーザの所望するサイズの出力画像を得る処理を説明するブロック図である。
【００５０】
原稿の画像データは、スキャナ部１０２Ａで読み取り原稿を読み取ることで画像形成装置１００の記憶部１０３に記憶されたり、画像形成装置１００と外部ネットワーク等により接続されたＰＣ（端末機）やスマートフォン等の画像作成システム１１や、ＨＤＤ，ＵＳＢメモリ等のストレージ（記憶手段）１２により画像データが入力される。
【００５１】
読み取り原稿の場合は、（１）スキャナ部１０２Ａにより読み取られて、（２）原稿の画像データが制御部１０５に入力される。
【００５２】
原稿の画像データに基づく原稿画像は、（３）タッチパネルディスプレイ１３０に表示されて、（４）タッチパネルディスプレイ１３０上でユーザの操作により出力画像の寸法が指示される。
【００５３】
そして、出力画像は、（５）制御部１０５において指定された寸法で変倍されて、（６）画像出力手段１０７により印刷される。
【００５４】
画像作成システム１１による場合は、（１）作成された原稿は、外部ネットワークのインターフェース１３を介して画像形成装置１００入力され、（２）原稿の画像データが制御部１０５に入力される。
【００５５】
原稿の画像データに基づく原稿画像は、（３）タッチパネルディスプレイ１３０に表示されて、（４）タッチパネルディスプレイ１３０上でユーザの操作により出力画像の寸法が指示される。
【００５６】
（５）出力画像は、制御部１０５において指定された寸法で変倍されて、（６）画像出力手段１０７により印刷することもできるし、（５）制御部１０５において指定された寸法で変倍された出力画像の画像データを、外部ネットワークを介して画像作成システム１１に送信して、（６）画像作成システム１１の記憶部に格納することもできる。
【００５７】
ストレージ１２による場合は、（１）記憶されている原稿は、記憶手段のそれぞれに対応するインターフェース１４を介して画像形成装置１００入力され、（２）原稿の画像データが制御部１０５に入力される。
【００５８】
原稿の画像データに基づく原稿画像は、（３）タッチパネルディスプレイ１３０に表示されて、（４）タッチパネルディスプレイ１３０上でユーザの操作により出力画像の寸法が指示される。
【００５９】
（５）出力画像は、制御部１０５において指定された寸法で変倍されて、（６）画像出力手段１０７により印刷することもできるし、（５）制御部１０５において指定された寸法で変倍された出力画像の画像データを、インターフェース１４を介してストレージ１２に送信して、（６）ストレージ１２に格納することもできる。
【００６０】
次に、第１実施形態の画像形成装置１００において、入力された画像データに基づき表示された原稿画像の出力画像をユーザの所望する大きさに変倍して印刷する処理についてフローチャートに沿って説明する。
【００６１】
図８は第１実施形態の画像形成装置において原稿をスキャナ部により読み取り変倍して印刷する処理工程を示すフローチャート、図９は前記画像形成装置において画像作成システムにより作成された原稿画像を変倍して印刷する処理工程を示すフローチャートである。
【００６２】
まず、読み取り原稿を用いる場合は、図８に示すように、まず、スキャナ部１０２Ａで原稿を読み込み（ステップＳ１）、原稿の画像データに基づく原稿画像をタッチパネルディスプレイ１３０に表示する（ステップＳ２）。
【００６３】
そして、タッチパネルディスプレイ１３０上の原稿画像において、ユーザの操作により出力画像の長さを指定する１辺を指定する（ステップＳ３）。
【００６４】
そして、ユーザの操作により出力画像の１辺の長さを指定する（ステップＳ４）。
【００６５】
そして、制御部１０５において、指定された出力画像の１辺の長さに基づき指定されたサイズになるように拡大、縮小された出力画像が生成されて（ステップＳ５）、画像出力手段１０７により指定されたサイズの出力画像が印刷される（ステップＳ６）。
【００６６】
このようにして、読み取った原稿の原稿画像に対してタッチパネルディスプレイ１３０上でサイズ指定することで、容易に原稿画像を変倍した出力画像を印刷することができる。
【００６７】
次に、画像作成システム１１により制作した画像を用いる場合は、図９に示すように、まず、ＰＣ等の画像作成システム１１により画像を作成して（ステップＳ１１）、画像の画像データを画像形成装置１００に送信して、画像データに基づく原稿画像をタッチパネルディスプレイ１３０に表示する（ステップＳ１２）。
【００６８】
そして、タッチパネルディスプレイ１３０上の原稿画像において、ユーザの操作により出力画像の長さを指定する１辺を指定する（ステップＳ１３）。
【００６９】
そして、ユーザの操作により出力画像の１辺の長さを指定する（ステップＳ１４）。
【００７０】
そして、制御部１０５において、指定された出力画像の１辺の長さに基づき指定されたサイズになるように拡大、縮小された出力画像が生成されて（ステップＳ１５）、画像出力手段１０７により指定されたサイズの出力画像が印刷される（ステップＳ１６）。
【００７１】
このようにして、画像作成システム１１により作成した原稿画像に対してタッチパネルディスプレイ１３０上でサイズ指定することで、容易に原稿画像を変倍した出力画像を印刷することができる。
【００７２】
以上のように構成したので、第１実施形態によれば、原稿を読み取るスキャナ部１０２Ａと、読み取られた原稿の画像データを記憶する記憶部１０３と、記憶部１０３に記憶された画像データに基づいて原稿画像を生成する原稿画像生成手段１０５１と、原稿画像を表示するタッチパネルディスプレイ１３０と、原稿画像の出力画像のサイズを指定するサイズ指定手段１０５２と、指定されたサイズに変倍した出力画像を生成する変倍手段１０５３と、を備えて、原稿画像を拡大または縮小して画像出力を行うことができる画像形成装置１００において、タッチパネルディスプレイ１３０に表示された原稿画像に対して、出力画像のサイズを指定する時の基準となる部分を指定する基準位置指定手段１０５４を備え、そして、基準位置指定手段１０５４に対応した基準部分を指定する矢印を表示するアイコン１３０２Ａおよび基準部分を指定するアイコン１３０２Ｂと、サイズ指定手段１０５２に対応した基準部分の長さを指定するアイコン１３０２Ｃを備えることで、原稿のサイズに拘わらず、タッチパネルディスプレイ１３０に表示された原稿画像の１辺をユーザがタッチすることで、その１辺を出力画像のサイズを指定する時の基準として指定して、所望する出力画像のサイズを指定することで、容易に原稿画像を変倍して所望する出力画像を得ることができる。
【００７３】
このように、第１実施形態の画像形成装置１００によれば、タッチパネルディスプレイ１３０に表示された原稿画像に対して出力画像のサイズを指定することで所望するサイズの出力画像を得ることができるので、例えば、所定サイズの写真立てや額縁などに適したサイズの写真や画像を入れたい場合、ある縮尺寸法図面から実寸ないし所定の倍率の寸法図面を作成したい場合などに有効である。
【００７４】
また、看板等にはめ込む画像を作成する場合に、例えば、キャラクターがプラカードをもっている看板において、そのプラカードへ商品写真を張り付けたい場合等に容易に所望の寸法の画像を作成できる。
【００７５】
また、模型等の立体物に貼るシール等を作成する場合に、取説についている見本（画像）が実寸大ではないので、現物に合わせてシールの寸法を決めることができる。
【００７６】
さらに、刺繍、パッチワークなどにキャラクターのデザインを取込む場合に、現物にあわせた寸法の型紙を容易に作成できる。
【００７７】
（第２実施形態）
次に、本発明の第２実施形態について説明する。
図１０は本発明の第２実施形態に係る画像形成装置のタッチパネルディスプレイに表示される原稿画像の出力画像のサイズの基準部分を指定する一例を示す説明図である。
【００７８】
なお、第２実施形態に係るタッチパネルディスプレイの構成は一部を除き第１実施形態のタッチパネルディスプレイ１３０と同様な構成および機能を備えるものであるため、第１実施形態のタッチパネルディスプレイ１３０の構成と同様な構成を有するものは同一の符号を付することで説明を省略する。
【００７９】
第２実施形態に係る画像形成装置のタッチパネルディスプレイ２３０は、図１０に示すように、画像が表示される表示領域２３０１とタッチ操作を行うアイコンが表示される操作領域２３０２を備えている。
【００８０】
表示領域２３０１には、スキャナ部１０２Ａにより読み取られた原稿の原稿画像や入力された画像データに基づく原稿画像が表示される。ここでは、入力された基板の画像データに基づく表示画像（ここでは、「原稿画像」と称する。）２３０３が表示される。
【００８１】
操作領域２３０２には、出力画像のサイズの基準となる部分（以下、「基準部分」と称する。）を指定する矢印を表示するアイコン２３０２Ａ、基準部分を指定するアイコン２３０２Ｂ、基準部分の長さを指定するアイコン２３０２Ｃが表示される。
【００８２】
基準部分を指定するアイコン２３０２Ｂは、制御部１０５の基準位置指定手段１０５４に対応する。
【００８３】
基準部分の長さを指定するアイコン２３０２Ｃは、制御部１０５のサイズ指定手段１０５２に対応する。
【００８４】
アイコン２３０２Ａをタッチすると、図１０に示すように、原稿画像２３０３付近に矢印（２点鎖線）２３０４が表示される。
【００８５】
アイコン２３０２Ｂをタッチすると、矩形状の原稿画像２３０３の外周の輪郭に沿って上・下・左・右の辺２３０３ａ，２３０３ｂ，２３０３ｃ，２３０３ｄの４辺が表示される。
【００８６】
原稿画像２３０３の基準となる１辺（基準部分）を指定する操作は、アイコン２３０２Ｂをタッチした後、矢印２３０４をタッチした状態で移動（ドラッグ）して、原稿画像２３０３の基準となる１辺（この場合は、上側の１辺２３０３ａ）を指定する。
【００８７】
なお、原稿画像２３０３の基準となる１辺を指定する操作は、上記操作に限定されず、例えば、アイコン２３０２Ｂをタッチした後、タッチパネルディスプレイ２３０上の原稿画像２３０３の指定する１辺をタッチすることで、矢印２３０４を表示させて原稿画像２３０３の基準となる１辺を指定するようにしてもよい。
【００８８】
原稿画像２３０３の基準となる１辺の長さを指定は、アイコン２３０２Ｃをタッチした後、数値（例えば「１０」）を入力する。
【００８９】
このようにして、タッチパネルディスプレイ２３０に表示された原稿画像２３０３に対して出力画像のサイズを指定することで、容易に所望するサイズの出力画像を得ることができる。
【００９０】
以上のように構成したので、第２実施形態によれば、原稿画像の出力画像のサイズを指定するサイズ指定手段１０５２と、指定されたサイズに変倍した出力画像を生成する変倍手段１０５３と、を備えて、原稿画像を拡大または縮小して画像出力を行うことができる画像形成装置おいて、タッチパネルディスプレイ２３０に表示された原稿画像に対して、出力画像のサイズを指定する時の基準となる部分を指定する基準位置指定手段１０５４を備え、そして、基準位置指定手段１０５４に対応した基準部分を指定する矢印を表示するアイコン２３０２Ａおよび基準部分を指定するアイコン２３０２Ｂと、サイズ指定手段１０５２に対応した基準部分の長さを指定するアイコン２３０２Ｃを備えることで、原稿のサイズに拘わらず、タッチパネルディスプレイ２３０に表示された原稿画像の４辺のうちの１辺をユーザがタッチすることで、その１辺を出力画像のサイズを指定する時の基準として指定して、所望する出力画像のサイズを指定することで、容易に原稿画像を変倍して所望するサイズの出力画像を得ることができる。
【００９１】
（第３実施形態）
次に、本発明の第３実施形態について説明する。
図１１（ａ）は本発明の第３実施形態に係る画像形成装置のタッチパネルディスプレイに表示される原稿画像の出力画像のサイズの基準部分を指定する一例を示す説明図、（ｂ）は前記画像原稿の角部の形状を示す詳細図である。
【００９２】
なお、第３実施形態に係るタッチパネルディスプレイの構成は一部を除き第１実施形態のタッチパネルディスプレイ１３０と同様な構成および機能を備えるものであるため、第１実施形態のタッチパネルディスプレイ１３０の構成と同様な構成を有するものは同一の符号を付することで説明を省略する。
【００９３】
第３実施形態に係る画像形成装置のタッチパネルディスプレイ３３０は、図１１に示すように、画像が表示される表示領域３３０１とタッチ操作を行うアイコンが表示される操作領域３３０２を備えている。
【００９４】
表示領域３３０１には、スキャナ部１０２Ａにより読み取られた原稿の原稿画像や入力された画像データに基づく原稿画像が表示される。ここでは、入力された基板の画像データに基づく表示画像（ここでは、「原稿画像」と称する。）３３０３が表示される。
【００９５】
操作領域３３０２には、出力画像のサイズの基準となる部分（以下、「基準部分」と称する。）を指定する矢印を表示するアイコン３３０２Ａ、基準部分を指定するアイコン３３０２Ｂ１、角部の特定箇所の形状（Ｒ面取り、Ｃ面取り）を指定するアイコン３３０２Ｂ２、基準部分の長さを指定するアイコン３３０２Ｃが表示される。
【００９６】
基準部分を指定するアイコン３３０２Ｂ１、特定箇所を指定するアイコン３３０２Ｂ２は、制御部１０５の基準位置指定手段１０５４に対応する。
【００９７】
基準部分の長さを指定するアイコン３３０２Ｃは、制御部１０５のサイズ指定手段１０５２に対応する。
【００９８】
アイコン３３０２Ａをタッチすると、図１１に示すように、原稿画像３３０３付近に矢印（２点鎖線）３３０４が表示される。
【００９９】
アイコン３３０２Ｂ１をタッチすると、矩形状の原稿画像３３０３の外周の輪郭に沿って上・下・左・右の辺３３０３ａ，３３０３ｂ，３３０３ｃ，３３０３ｄの４辺が表示される。
【０１００】
アイコン３３０２Ｂ２をタッチすると、原稿画像３３０３の特定箇所を指定可能な状態となる。例えば、角部などの指定可能な箇所を２点鎖線で包囲して特定箇所３３０３ｅを表示するようにてもよい。
【０１０１】
原稿画像３３０３の基準となる１辺（基準部分）を指定する操作は、アイコン３３０２Ｂ１をタッチした後、矢印３３０４をタッチした状態で移動（ドラッグ）して、原稿画像２３０３の基準となる１辺（この場合は、上側の１辺２３０３ａ）を指定する。このとき、矢印３３０４Ｂ１が表示される。
【０１０２】
原稿画像３３０３の特定箇所を指定する操作は、アイコン３３０２Ｂ２をタッチした後、サイズを指定する特定箇所をタッチして指定する。このとき、矢印３３０４Ｂ２が表示される。
【０１０３】
なお、原稿画像３３０３の基準となる１辺を指定する操作は、上記操作に限定されず、例えば、アイコン３３０２Ｂ１をタッチした後、タッチパネルディスプレイ３３０上の原稿画像３３０３の指定する１辺をタッチすることで、矢印３３０４Ｂ１を表示させて原稿画像３３０３の基準となる１辺を指定するようにしてもよい。
【０１０４】
原稿画像３３０３の基準となる１辺の長さおよび特定箇所の寸法を指定は、アイコン３３０２Ｃをタッチした後、数値（例えば長さ「１０」やＣ／Ｒ「５」）を入力する。
【０１０５】
このようにして、タッチパネルディスプレイ３３０に表示された原稿画像３３０３に対して出力画像のサイズや特定箇所の形状を指定することで、容易に所望するサイズや形状の出力画像を得ることができる。
【０１０６】
以上のように構成したので、第３実施形態によれば、原稿画像の出力画像のサイズを指定するサイズ指定手段１０５２と、指定されたサイズに変倍した出力画像を生成する変倍手段１０５３と、を備えて、原稿画像を拡大または縮小して画像出力を行うことができる画像形成装置おいて、タッチパネルディスプレイ３３０に表示された原稿画像に対して、出力画像のサイズを指定する時の基準となる部分を指定する基準位置指定手段１０５４を備え、そして、基準位置指定手段１０５４に対応した基準部分や特定箇所を指定する矢印を表示するアイコン３３０２Ａ、基準部分を指定するアイコン３３０２Ｂ１、特定箇所を指定するアイコン３３０２Ｂ２、およびサイズ指定手段１０５２に対応した基準部分の長さを指定するアイコン３３０２Ｃを備えることで、原稿のサイズに拘わらず、タッチパネルディスプレイ３３０に表示された原稿画像の４辺のうちの１辺、および特定箇所をユーザがタッチすることで、その１辺を出力画像のサイズを指定する時の基準として指定して、所望する出力画像のサイズを指定するとともに、特定箇所の形状を指定することで、容易に原稿画像を変倍して所望するサイズや形状の出力画像を得ることができる。
【０１０７】
なお、上述した第１実施形態においては、原稿画像１３０３の基準部分の長さを矢印で示したり、第２実施形態および第３実施形態においては、矩形状の原稿画像２３０３の外周の輪郭に沿って４辺を表示して、その１辺を基準部分として矢印で指定するようにしているが、本発明は、上述した実施形態に限定されるものではない。
以下に、原稿画像の基準部分を指定する方式の変形例を示す。
【０１０８】
図１２は本発明に係る画像形成装置のタッチパネルディスプレイに表示される原稿画像の出力画像のサイズの基準部分を指定する変形例１を示す説明図、図１３は前記画像形成装置のタッチパネルディスプレイに表示される原稿画像の出力画像のサイズの基準部分を指定する変形例２を示す説明図である。
【０１０９】
変形例１は第１実施形態の変形例であって、図１２に示すように、矩形状の基板の原稿画像１３０３に対して４角に三角マーク１３１３を表示するようにしたものである。
【０１１０】
このように構成することで、ユーザが原稿画像１３０３の外周の三角マーク１３１３の間を指示することで、容易に基準部分を指定することができる。
【０１１１】
変形例２は第２実施形態の変形例であって、図１３に示すように、矩形状の基板の原稿画像３３０３の外周の輪郭に沿って上・下・左・右の辺２３０３ａ，２３０３ｂ，２３０３ｃ，２３０３ｄの４辺を表示するとともに、基板内の構成部品の外周に沿って輪郭線２３１３ａ，２３１３ｂ，２３１３ｃを表示するようにしたものである。
【０１１２】
このように構成することで、例えば、基板内の構成部品の輪郭線２３１３ａ，２３１３ｂ，２３１３ｃを指定することで、その構成部品のサイズに基づき、出力画像のサイズを変倍して所望のサイズの出力画像を得ることができる。
【０１１３】
（第４実施形態）
次に、本発明の第４実施形態について説明する。
第４実施形態に係る画像形成装置は、上述した実施形態の構成に加えて、記憶部１０３に予め形状やサイズの決まっている画像の画像データを収納して、ユーザにより出力画像のサイズが指定されたときに、テーブル等によりユーザが所望するサイズの出力画像を得るようにしたものである。
【０１１４】
このように構成することで、出力画像の基になる原稿画像が予め形状やサイズが決まっている場合は、テーブル等を用いて容易にユーザが所望する形状やサイズの出力画像を得ることができる。
【０１１５】
（第５実施形態）
次に、本発明の第５実施形態について説明する。
第５実施形態に係る画像形成装置は、上述した実施形態の構成に加えて、記憶部１０３に予め形状やサイズの決まっている規格品や既製品の画像データ（例えば、カタログデータ）を収納して、テンプレート等により原稿画像を表示して、ユーザにより出力画像のサイズが指定されたときに、テーブル等によりユーザが所望するサイズの出力画像を得るようにしたものである。
【０１１６】
このように構成することで、出力画像の基になる原稿画像が規格品や既製品であって形状や寸法が決まっている場合は、テンプレートやテーブル等を用いて容易にユーザが所望する形状やサイズの出力画像を得ることができる。
【０１１７】
なお、上述した実施形態では、基板を２次元で表示した矩形状の原稿画像を用いているが、球体のサイズ（直径、半径）を指定するものであってもよい。
【０１１８】
また、上述した実施形態では画像形成装置の制御部において、原稿画像に基づいて指定されたサイズに出力画像を形成して出力するようにしているが、例えば、出力画像のサイズを指定して出力を行うソフトを用いて、別途ＰＣ端末機上でサイズを設定して画像形成装置で出力するようにしてもよい。
【０１１９】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１２０】
１００  画像形成装置
１０２Ａ  スキャナ部（画像読取手段）
１０３  記憶部（記憶手段）
１０５  制御部
１０７  画像出力手段
１３０，２３０，３３０  タッチパネルディスプレイ（表示手段）
１０５１  原稿画像生成手段
１０５２  サイズ指定手段
１０５３  変倍手段
１０５４  基準位置指定手段
１３０２Ａ，１３０２Ｂ，１３０２Ｃ，２３０２Ａ，２３０２Ｂ，２３０２Ｃ，
３３０２Ａ，３３０２Ｂ１，３３０２Ｂ２，３３０２Ｃ  アイコン
１３０３，２３０３，３３０３  原稿画像
１３０４，２３０４，３３０４，３３０４Ｂ１，３３０４Ｂ２  矢印
２３０３ａ，２３０３ｂ，２３０３ｃ，２３０３ｄ，
３３０３ａ，３３０３ｂ，３３０３ｃ，３３０３ｄ  辺
３３０３ｅ  特定箇所
【図１】
0006521614.tif 000002
【図２】
0006521614.tif 000003
【図３】
0006521614.tif 000004
【図４】
0006521614.tif 000005
【図５】
0006521614.tif 000006
【図６】
0006521614.tif 000007
【図７】
0006521614.tif 000008
【図８】
0006521614.tif 000009
【図９】
0006521614.tif 000010
【図１０】
0006521614.tif 000011
【図１１】
0006521614.tif 000012
【図１２】
0006521614.tif 000013
【図１３】
0006521614.tif 000014